(57)【特許請求の範囲】
【請求項１】
燃料を燃焼室内に直接噴射する一方燃料噴射量を調量することによりエンジン出力を制御し、該エンジンが、高負荷側の運転領域では空燃比を理論空燃比又はこれよりリッチに設定した上で混合気を燃焼室内全体に分散させて燃焼させる均一燃焼を行い、低負荷側の運転領域にあっては、空燃比を理論空燃比に比べてリーンに設定して成層燃焼させるために、スロットル弁の開度を大きめに設定するようになっていて、排気ガスの一部をＥＧＲガスとして吸気系に還流させるＥＧＲ手段を備えている筒内噴射式エンジンの排気浄化装置において、
共通吸気通路にスロットル弁が介設され、該共通吸気通路の下流には、各気筒毎に第１、第２の吸気ポートが設けられていて、各気筒毎において該第１、第２の吸気ポートのうち第２の吸気ポートに、成層燃焼時には該第２の吸気ポートを閉じ又は絞り、均一燃焼時は該第２の吸気ポートを開く吸気制御弁が設けられ、
各気筒の上記第１、第２の吸気ポートのうちの第２の吸気ポートにおいて、上記吸気制御弁より下流側の部分に、夫々、該吸気ポートにＥＧＲガスを導入するＥＧＲ開口部が設けられ、
上記ＥＧＲ手段が、成層燃焼時、及び、均一燃焼時には、上記ＥＧＲ開口部を介してＥＧＲガスを吸気系に還流させるようになっていることを特徴とする筒内噴射式エンジンの排気浄化装置。
【請求項２】
上記吸気制御弁は、閉じられたときに燃焼室内にスワールを生成するスワール生成弁であって、
上記ＥＧＲ手段が、上記吸気制御弁の閉動作に伴って吸気系へのＥＧＲガスの還流を開始するようになっていることを特徴とする、請求項１に記載された筒内噴射式エンジンの排気浄化装置。
【請求項３】
エンジン冷機時には、低負荷側の運転領域でも均一燃焼が行われるようになっていて、エンジン温度が所定値を超えたときに成層燃焼に移行するようになっていることを特徴とする、請求項１に記載された筒内噴射式エンジンの排気浄化装置。
【請求項４】
上記ＥＧＲ手段に、各気筒のＥＧＲ開口部と連通するＥＧＲ室が設けられ、該ＥＧＲ室が、夫々吸気行程が連続しない気筒同士のＥＧＲ開口部とのみ連通する複数のＥＧＲ分室に分けられていることを特徴とする、請求項１に記載された筒内噴射式エンジンの排気浄化装置。
【発明の詳細な説明】
【０００１】
【発明の属する技術分野】
本発明は、筒内噴射式エンジンの排気浄化装置に関するものであって、とくに成層燃焼時に吸気系にＥＧＲガスを供給するようにした筒内噴射式エンジンにおいて、各気筒へのＥＧＲガスの分配性を良好に維持しつつ、成層燃焼時にヘビーＥＧＲを達成することができ、かつ均一燃焼から成層燃焼への切り替えに際して、成層燃焼初期におけるコールドＥＧＲを防止して燃焼安定性を高めることができる筒内噴射式エンジンの排気浄化装置に関するものである。
【０００２】
【従来の技術】
近年、自動車用のガソリンエンジンにおいては、燃費性能等の向上を図るために、燃料を燃焼室内に直接噴射するようにした筒内噴射式エンジンが普及しつつある。かかる筒内噴射式エンジンにおいては、混合気を点火プラグまわりに成層化することが容易であるので、低負荷側領域では理論空燃比よりも大幅にリーンな空燃比（例えば、Ａ／Ｆ＝３０〜４０）で混合気を燃焼させることができ、燃費性能を大幅に高めることができる。また、かかる成層燃焼においては、スロットル開度が大きくなり、その結果ポンピング損失が低減されるので、燃費性能が一層高められることになる。
なお、筒内噴射式エンジンにおいても、高負荷側領域では、エンジン出力を高めるために混合気を燃焼室内にほぼ均一に分散させて均一燃焼を行うようになっている。
【０００３】
ところで、一般にエンジンにおいては、その排気ガスにＮＯｘ（窒素酸化物）、ＨＣ（炭化水素）、ＣＯ（一酸化炭素）等の大気汚染物質が含まれているので、エンジンの排気系統には該大気汚染物質を浄化する排気ガス浄化装置が設けられる。そして、筒内噴射式エンジンにおいては、低負荷側領域で成層燃焼によりリーンな空燃比で運転が行われる際には、ＨＣ及びＣＯの発生割合は低くなり、したがって排気ガス中のＨＣ濃度及びＣＯ濃度は低くなる。
【０００４】
他方、例えば図３に示すように、筒内噴射式エンジンにおいて、リーンな空燃比で運転を行うと、ポート噴射式エンジンに比べて、ＮＯｘの発生割合がかなり大きくなる。なお、図３中において、グラフＧ1は筒内噴射式エンジンのＮＯｘ発生割合を示し、グラフＧ2はポート噴射式エンジンのＮＯｘ発生割合を示している。そして、３元触媒を用いた排気ガス浄化装置では、普通、排気ガス中のＨＣを還元剤として利用してＮＯｘをＮ2に還元（分解）するようになっているが、前記したとおり、成層燃焼時には排気ガス中のＨＣ濃度が低くなるので、成層燃焼時には、排気ガス浄化装置にさほど大きなＮＯｘ浄化作用を期待することはできない。
【０００５】
そこで、かかる筒内噴射式エンジンには、一般に、ＮＯｘの発生割合を低減するために、排気通路内の排気ガスの一部をＥＧＲガスとして吸気系に還流させるＥＧＲ装置が設けられる。ここで、ＥＧＲガスによるＮＯｘ発生割合の低減作用は、主としてＥＧＲガス中に含まれるＣＯ2によって惹起されるが、筒内噴射式エンジンにおいて成層燃焼によりリーンな空燃比で運転を行う場合は、排気ガス中のＣＯ2濃度が低いので、比較的多量のＥＧＲガスを還流させること（いわゆる、ヘビーＥＧＲ）が要求される。
【０００６】
【発明が解決しようとする課題】
そして、成層燃焼時にヘビーＥＧＲを行うには、吸気負圧を高めてＥＧＲガスの吸気系への導入（吸入）を促進する必要があるが、吸気負圧を高めるには、普通、スロットル開度を小さくする必要がある。しかしながら、成層燃焼時においては十分な量の新気の導入が必要とされるので、スロットル開度をさほど小さくすることはできないといった問題がある。したがって、十分な新気の導入を確保しつつ、ヘビーＥＧＲを達成することができる手段が求められている。
【０００７】
ところで、かかるＥＧＲ装置においては、各気筒へのＥＧＲガスの分配を均一化するために、普通、ＥＧＲガスは吸気通路の各気筒への分岐部の上流側で吸気系に供給される（例えば、特開平５−１５７００９号公報参照）。また、吸気通路の各気筒への分岐部の上流側にサージタンク（容積部ないしは吸気集合部）が設けられるエンジンでは、普通、ＥＧＲガスは該サージタンク又はその直上流の吸気通路に供給される。
【０００８】
かくして、かかる筒内噴射式エンジンにおいて、均一燃焼から成層燃焼に切り替えられたときには、該切り替え時から吸気系にＥＧＲガスが供給されることになる。この場合、分岐部上流又はサージタンクもしくはその直上流にＥＧＲガスを供給するようにした従来のＥＧＲ装置においては、前記したとおり各気筒へのＥＧＲガスの分配性を高めるためにＥＧＲガスが比較的上流側に供給される関係上、ＥＧＲガス供給初期にはＥＧＲガスがサージタンク等の吸気系を通過する際に冷却され、燃焼室には低温のＥＧＲガスが大量に流入することになる（いわゆる、コールドＥＧＲ）。このため、成層燃焼初期における混合気の燃焼安定性が悪化するといった問題がある。
【０００９】
本発明は、上記従来の問題を解決するためになされたものであって、ＥＧＲの各気筒への分配性を良好に維持しつつ、成層燃焼時にヘビーＥＧＲを達成することができ、さらには均一燃焼から成層燃焼への切り替え時における成層燃焼の燃焼安定性を高めることができる手段を提供することを解決すべき課題ないしは目的とする。
【００１０】
【課題を解決するための手段】
上記の課題を解決すべくなされた本発明の基本的な態様は、燃料を燃焼室内に直接噴射する一方燃料噴射量を調量することによりエンジン出力を制御し、該エンジンが、高負荷側の運転領域では空燃比を理論空燃比又はこれよりリッチに設定した上で混合気を燃焼室内全体に分散させて燃焼させる均一燃焼を行い、低負荷側の運転領域にあっては、空燃比を理論空燃比に比べてリーンに設定して成層燃焼させるために、スロットル弁の開度を大きめに設定するようになっていて、排気ガスの一部をＥＧＲガスとして吸気系に還流させるＥＧＲ手段を備えている筒内噴射式エンジンの排気浄化装置において、（ａ）共通吸気通路にスロットル弁が介設され、該共通吸気通路の下流には、各気筒毎に第１、第２の吸気ポートが設けられていて、各気筒毎において該第１、第２の吸気ポートのうち第２の吸気ポートに、成層燃焼時には第２の吸気ポートを閉じ又は絞り、均一燃焼時は該第２の吸気ポートを開く吸気制御弁が設けられ、（ｂ）各気筒の第１、第２の吸気ポートのうちの第２の吸気ポートにおいて、吸気制御弁より下流側の部分に、夫々、該吸気ポートにＥＧＲガスを導入するＥＧＲ開口部が設けられ、（ｃ）該ＥＧＲ手段が、成層燃焼時、及び、均一燃焼時には、ＥＧＲ開口部を介してＥＧＲガスを吸気系に還流させるようになっていることを特徴とするものである。
【００１１】
この筒内噴射式エンジンの排気浄化装置においては、成層燃焼時に、各気筒には、夫々、各気筒毎に設けられたＥＧＲ開口部を介して個別的にＥＧＲガスが導入（吸入）されるので、各気筒へのＥＧＲガスの分配性が良好となる（均一化される)。
また、成層燃焼時には吸気制御弁が閉じられ又は絞られるが、このとき開閉吸気ポートの吸気制御弁より下流側の部分は、気筒内の負圧が強く作用するので吸気負圧が高くなる。そして、ＥＧＲ開口部は、開閉吸気ポートの吸気制御弁より下流側の部分に設けられているので、成層燃焼時には、上記の高い負圧により該吸気ポートへのＥＧＲガスの導入（吸入）が促進される。このため、スロットル開度を大きくした場合でも、ヘビーＥＧＲが達成される。すなわち、十分な量の新気の導入と、ヘビーＥＧＲの達成とを両立させることができる。なお、この場合、スロットル開度が大きくかつヘビーＥＧＲが達成されるので、ポンピング損失が大幅に低減され、燃費性能が大幅に高められる。
【００１２】
さらに、ＥＧＲガスが、燃焼室に近い位置（下流部）で吸気系に導入されるので、吸気系に導入されたＥＧＲガスがサージタンク等によって冷却されることはなく、したがってＥＧＲガス供給開始初期においても、燃焼室には比較的高温のＥＧＲガスが流入する（ホットＥＧＲ）。このため、理論空燃比よりも大幅にリーンな空燃比（例えば、Ａ／Ｆ＝３０〜４０）が設定される成層燃焼時において、成層燃焼開始時から燃焼室に暖かいＥＧＲが流入し（コールドＥＧＲが防止される）、成層燃焼初期における燃焼安定性が高められる。
また、均一燃焼から成層燃焼に切り替えられたときには、吸気制御弁が閉じられ又は絞られてＥＧＲ開口部付近の吸気負圧が高まるので、ＥＧＲガスの導入量（吸入量）が自然に増え、自動的にヘビーＥＧＲが達成される。また、均一燃焼時においてもＮＯｘ発生割合が低減される。さらには、均一燃焼時にＥＧＲガスによって吸気系がすでに暖められているので、成層燃焼初期におけるコールドＥＧＲが一層確実に防止され、燃焼安定性が一層高められる。
【００１４】
ここで、吸気制御弁が、閉弁時に燃焼室内にスワールを生成するスワール生成弁である場合は、ＥＧＲ手段が、吸気制御弁（スワール生成弁）の閉動作に伴って吸気系へのＥＧＲガスの還流を開始するようになっているのが好ましい。この場合は、吸気制御弁が閉動作したときに成層化が開始されるので、吸気制御弁の閉動作と成層燃焼の開始とが一致するからである。このようにすれば、成層燃焼の開始の判定が極めて容易となる。
【００１７】
ここで、エンジン冷機時には低負荷側の運転領域でも均一燃焼が行われるようになっていて、エンジン温度が所定値を超えたときに成層燃焼に移行するようになっているのが好ましい。エンジン冷機時における成層燃焼は、燃焼安定性が低いからである。  
【００１９】
上記筒内噴射式エンジンの排気浄化装置においては、ＥＧＲ手段に、各気筒のＥＧＲ開口部と連通するＥＧＲ室（容積部）が設けられ、該ＥＧＲ室が、夫々吸気行程が連続しない気筒同士のＥＧＲ開口部とのみ連通する複数のＥＧＲ分室に分けられているのが好ましい。例えば、第１〜第４気筒＃１〜＃４を備えた４気筒エンジンにおいては、普通、吸気行程は、＃１→＃３→＃４→＃２の順であるので、＃１と＃４とが同一のＥＧＲ分室に連通し、＃２と＃３とが同一のＥＧＲ分室に連通することになる。このようにすれば、同一のＥＧＲ分室内では吸気干渉が生じないので、ＥＧＲガスの分配性が一層良くなる。
なお、ＥＧＲ室を分室に分けずに単一の室として、全気筒のＥＧＲ開口部をこの単一のＥＧＲ室と連通させてもよいのはもちろんである。
【００２０】
【発明の実施の形態】
以下、本発明の実施の形態を具体的に説明する。
図１に示すように、ガソリンを燃料とする筒内噴射式の４気筒エンジンＥには、第１〜第４気筒＃１〜＃４がこの順で直列に配置されている。そして、各気筒＃１〜＃４においては、夫々、基本的には第１、第２吸気弁１、２が開かれたときに、第１、第２吸気ポート３、４（第１、第２独立吸気通路）から燃焼室５内に燃料燃焼用の空気が吸入され（以下、この空気を「吸入空気」という）、この吸入空気はピストン（図示せず）によって圧縮され、このとき所定のタイミングで燃料噴射弁６（高圧インジェクタ）から燃焼室５内に燃料が噴射され、燃焼室５内に混合気が形成されるようになっている。この混合気は点火プラグ（図示せず）によって所定のタイミングで点火されて燃焼し、該燃焼によって生じた燃焼ガスは第１、第２排気弁７、８が開かれたときに排気ポート９（独立排気通路）に排出されるようになっている。
ここで、各気筒＃１〜＃４においては、吸気行程ないしは点火順序は、＃１→＃３→＃４→＃２の順となっている。
【００２１】
燃焼室５に吸入空気を供給する吸気系には、先端が大気に開放された共通吸気通路１１が設けられ、この共通吸気通路１１には、アクセルペダルの踏み込み量に対応して開閉されるスロットル弁１２が介設されている。そして、共通吸気通路１１の下流端は、吸入空気の流れを安定化させるサージタンク１３（容積部）に接続されている。
【００２２】
このサージタンク１３には、各気筒＃１〜＃４の第１、第２吸気ポート３、４の上流端が接続されている。なお、第１、第２吸気ポート３、４の下流端は燃焼室５に接続されている。そして、各気筒＃１〜＃４の第２吸気ポート４には、夫々、該第２吸気ポート４を閉じることができる又は絞ることができる吸気制御弁１４（スワール生成弁）が設けられている。なお、各気筒＃１〜＃４の吸気制御弁１４は、単一の弁軸１５に取り付けられ、図示していない吸気制御弁駆動機構によって一体的に開閉されるようになっている。
【００２３】
ここで、吸気制御弁１４が第２吸気ポート４を閉じたとき、又は絞ったときには、吸入空気は第１吸気ポート３のみを通して、又は主として第１吸気ポート３を通して燃焼室５に供給される。詳しくは図示していないが、第１吸気ポート３は、燃焼室５内にスワール（旋回流れないしは横渦）を生成することができるタンジェンシャルタイプあるいはヘリカルタイプのスワールポートとされている。したがって、吸気制御弁１４が第２吸気ポート４を閉じたとき又は絞ったときには、第１吸気ポート３から流入する吸入空気によって燃焼室５内にスワールが生成される。
【００２４】
このとき、燃焼室５内では燃料（混合気）が点火プラグまわりに成層化されて成層燃焼が行われる。この場合、燃料（混合気）の燃焼性が高められ、理論空燃比よりも大幅にリーンな空燃比での運転（リーンバーン）が可能となる（例えば、空燃比Ａ／Ｆ＝３０〜４０、さらにはＡ／Ｆ＝５０〜６０も理論上は可能）。なお、かかる成層燃焼においては、燃料は一般に圧縮行程後期に噴射される。かくして、成層燃焼時には超リーンな空燃比でリーンバーンを行うことができるので、燃費性能が大幅に高められる。また、スロットル弁１２が大きく開かれるので（場合によっては全開される）、ポンピング損失が低減され、これによってさらに燃費性能が高められる。
【００２５】
他方、吸気制御弁１４が第２吸気ポート４を開いているときには、両吸気ポート３、４から燃焼室５内に大量の吸入空気が供給される。そして、空燃比は理論空燃比（空燃比Ａ／Ｆ＝１４.７、空気過剰率λ＝１）又はこれよりややリッチな値（Ａ／Ｆ＜１４.７、λ＜１）に設定される。このとき、燃焼室５内にはスワールは生成されず、燃料（混合気）は燃焼室５内にほぼ均一に分散させられて均一燃焼が行われる。この場合、燃料は一般に吸気行程前期に噴射される。かくして、均一燃焼時には吸入空気の充填効率が高められるとともに、大量の燃料が噴射され、高出力運転が行われる。
【００２６】
このエンジンＥにおいては、基本的には、所定の低負荷側の運転領域では、吸気制御弁１４が第２吸気ポート４を閉じ（又は絞り）、燃費性能の良い成層燃焼が行われるようになっている。そして、所定の高負荷側の運転領域では吸気制御弁１４が第２吸気ポート４を開き、高出力が得られる均一燃焼が行われるようになっている。
なお、エンジン冷機時には、低負荷側の運転領域でも、吸気制御弁１４が第２吸気ポート４を開き、均一燃焼が行われるようになっている。そして、エンジン水温（エンジン温度）が所定値を超えたときに成層燃焼に移行するようになっている。エンジン冷機時における成層燃焼は、燃焼安定性が低いからである。
【００２７】
各気筒＃１〜＃４の各排気ポート９は単一の共通排気通路１６に集合され、この共通排気通路１６には、図示していないが、排気ガス中の大気汚染物質（ＮＯｘ、ＨＣ、ＣＯ等）を浄化する３元触媒を用いた排気ガス浄化装置が介設されている。そして、共通排気通路１６内の排気ガスの一部をＥＧＲガスとして吸気系に還流させるＥＧＲ通路１７が設けられている。なお、ＥＧＲガスは、後で説明するように、主として成層燃焼時にＮＯｘ発生量を低減するために吸気系に供給される。このＥＧＲ通路１７の上流端は共通排気通路１６に開口し、その下流端はＥＧＲ室１８（容積部）に接続されている。このＥＧＲ室１８は仕切り壁１９によって、第１ＥＧＲ分室２０と第２ＥＧＲ分室２１とに分けられている。なお、第１ＥＧＲ分室２０と第２ＥＧＲ分室２０とは、ＥＧＲガスの流れ方向にみて上流側では連通している。また、ＥＧＲ通路１７には、該ＥＧＲ通路１７を開閉し、あるいはＥＧＲガスの流量を制御するＥＧＲバルブ２２が介設されている。
【００２８】
そして、各気筒＃１〜＃４の第２吸気ポート４の吸気制御弁１４のやや下流側の部分には、夫々、該第２吸気ポート４にＥＧＲガスを導入するためのＥＧＲ開口部２３が設けられている。ここで、吸気行程が互いに連続しない第１気筒＃１と第４気筒＃４とについては、これらのＥＧＲ開口部２３は夫々第１ＥＧＲ分室２０と連通している。他方、吸気行程が互いに連続しない第２気筒＃２と第３気筒＃３とについては、これらのＥＧＲ開口部２３は夫々第２ＥＧＲ分室２１と連通している。これにより、同一のＥＧＲ分室２０、２１内での吸気干渉の発生が防止され、各気筒＃１〜＃４へのＥＧＲガスの分配性が良くなる。
【００２９】
なお、図２に示すように、ＥＧＲ室１８を分室に分けずに単一の室として、全気筒＃１〜＃４のＥＧＲ開口部２３をこの単一のＥＧＲ室１８と連通させてもよい。図２に示すエンジンＥ’においても、ＥＧＲガスの分配性が若干悪くなることを除けば、図１に示すエンジンＥと同様の作用・効果が得られる。
【００３０】
以下、吸気系へのＥＧＲガスの供給手法ないしは該ＥＧＲの作用・効果について説明する。なお、吸気系へのＥＧＲガスの供給のオン・オフあるいはＥＧＲガスの流量は、図示していないエンジンコントロールユニットから印加される制御信号に従って、ＥＧＲバルブ２２によって制御される。
すなわち、この筒内噴射式のエンジンＥにおいては、リーンな空燃比で運転を行うと、前記したとおり（図３参照）、ＮＯｘの発生割合が大きくなる。そして、排気ガス浄化装置（図示せず）では、排気ガス中のＨＣを還元剤として利用してＮＯｘをＮ2に還元（分解）するようになっている関係上、成層燃焼時には排気ガス中のＨＣ濃度が低くなるので、成層燃焼時には排気ガス浄化装置にさほど大きなＮＯｘ浄化作用を期待することはできない。
【００３１】
そこで、成層燃焼時には、ＥＧＲ通路１７と、ＥＧＲ室１８ないしはＥＧＲ分室２０、２１と、ＥＧＲ開口部２３とを介して、ＥＧＲガスを第２吸気ポート４（吸気系）ひいては燃焼室５に供給し、ＮＯｘの発生割合を低減（抑制）するようにしている。
そして、エンジンＥにおいては、成層燃焼時に、各気筒＃１〜＃４には、夫々、各気筒毎に設けられたＥＧＲ開口部２３を介して個別的にＥＧＲガスが導入されるので、各気筒＃１〜＃４へのＥＧＲガスの分配性が良好となる。なお、前記したとおり、同一のＥＧＲ分室２０、２１内での吸気干渉の発生が防止されるので、各気筒＃１〜＃４へのＥＧＲガスの分配性が一層良好となる。
【００３２】
また、前記したとおり、成層燃焼時には吸気制御弁４が閉じられ又は絞られるが、このとき第２吸気ポート４の吸気制御弁１４より下流側の部分は、気筒内の負圧が強く作用するので吸気負圧が高くなる。そして、ＥＧＲ開口部２３は、第２吸気ポート４の吸気制御弁１４より下流側のこの部分に設けられているので、成層燃焼時には、上記の高い負圧により該第２吸気ポート４へのＥＧＲガスの導入（吸入）が促進される。このため、スロットル開度を大きくした場合でも、ヘビーＥＧＲが達成される。すなわち、十分な量の新気の導入と、ヘビーＥＧＲの達成とを両立させることができる。なお、この場合、スロットル開度が大きくかつヘビーＥＧＲが達成されるので、ポンピング損失が大幅に低減され、燃費性能が大幅に高められる。
【００３６】
エンジンＥでは、基本的には高負荷側の運転領域では均一燃焼が行われ、低負荷側の運転領域では成層燃焼が行われ、均一燃焼時には、吸気制御弁１４が開かれる。ここで、均一燃焼時にも吸気系にＥＧＲを還流させるようになっているのが好ましい。この場合、ＥＧＲガスの導入量は、成層燃焼時に比べて少なく設定される。このようにすれば、均一燃焼から成層燃焼に切り替えられたときには、吸気制御弁１４が閉じられ又は絞られてＥＧＲ開口部２３付近の吸気負圧が高まるので、ＥＧＲガスの導入量が自然に増え、自動的にヘビーＥＧＲが達成される。また、均一燃焼時においてもＮＯｘ発生割合が低減される。さらには、均一燃焼時にＥＧＲガスによって吸気系がすでに暖められているので、成層燃焼初期におけるコールドＥＧＲが一層確実に防止され、燃焼安定性が一層高められる。
【００３７】
前記したとおり、エンジンＥにおいては、エンジン冷機時には低負荷側の運転領域でも均一燃焼が行われるようになっており、エンジン水温が所定値を超えたときに成層燃焼に移行する。これは、エンジン冷機時における成層燃焼は、燃焼安定性が低いからである。
【００３８】
以上、この実施の形態にかかるエンジンＥでは、各気筒＃１〜＃４へのＥＧＲガスの分配性を良好に維持しつつ、成層燃焼時にヘビーＥＧＲを達成することができ、かつ均一燃焼から成層燃焼への切り替えに際して、成層燃焼初期におけるコールドＥＧＲを防止して燃焼安定性を高めることができる。
【図面の簡単な説明】
【図１】  本発明にかかる筒内噴射式エンジンのシステム構成図である。
【図２】  本発明にかかるもう１つの筒内噴射式エンジンのシステム構成図である。
【図３】  ポート噴射式エンジン及び筒内噴射式エンジンのＮＯｘ発生割合の空燃比に対する変化特性を示すグラフである。
【符号の説明】
Ｅ…エンジン、Ｅ’…エンジン、＃１〜＃４…第１〜第４気筒、１…第１吸気弁、２…第２吸気弁、３…第１吸気ポート、４…第２吸気ポート、５…燃焼室、６…燃料噴射弁、７…第１排気弁、８…第２排気弁、９…排気ポート、１１…共通吸気通路、１２…スロットル弁、１３…サージタンク、１４…吸気制御弁、１５…弁軸、１６…共通排気通路、１７…ＥＧＲ通路、１８…ＥＧＲ室、１９…仕切り壁、２０…第１ＥＧＲ分室、２１…第２ＥＧＲ分室、２２…ＥＧＲバルブ、２３…ＥＧＲ開口部。
【図１】
0003896630.tif 000002
【図２】
0003896630.tif 000003
【図３】
0003896630.tif 000004